【手続補正書】
【提出日】平成24年12月5日(2012.12.5)
【手続補正１】
【補正対象書類名】特許請求の範囲
【補正対象項目名】全文
【補正方法】変更
【補正の内容】
【特許請求の範囲】
【請求項１】
複数のシーンの動画信号が記録された記録媒体から前記動画信号を再生する再生手段と、
前記記録媒体に記録された前記動画信号から、前記動画信号の送信先に応じた所定の形式の動画信号を生成する処理手段と、
変換指示に応じて、前記複数のシーンのうちの１シーンの動画信号を所定時間ごとに分割した、前記所定の形式の動画信号を生成するように、前記処理手段を制御する制御手段
とを備えることを特徴とする再生装置。
【請求項２】
前記処理手段は、前記記録媒体に記録された前記動画信号から、第１の送信先に応じた第１の形式の動画信号と、前記第１の送信先とは異なる第２の送信先に応じた第２の形式の動画信号とを生成し、
前記制御手段は、前記第１の送信先が指定された場合、前記１シーンの動画信号を前記所定時間ごとに分割した前記第１の形式の動画信号を生成し、前記第２の送信先が指定された場合、前記１シーンの動画信号から１シーンの前記第２の形式の動画信号を生成するように、前記第１の送信先と第２の送信先から指定された送信先に応じて前記処理手段を制御する
ことを特徴とする請求項１に記載の再生装置。
【請求項３】
前記制御手段は、前記１シーンの動画信号の先頭から終端までを前記所定時間ごとに分割した、前記所定の形式の動画信号を生成するように前記処理手段を制御することを特徴とする請求項１に記載の再生装置。
【請求項４】
前記制御手段は、前記１シーンの動画信号のうち指定された位置から終端までを前記所定時間ごとに分割した、前記所定の形式の動画信号を生成するように前記処理手段を制御することを特徴とする請求項１に記載の再生装置。
【請求項５】
複数のシーンの動画信号が記録された記録媒体から前記動画信号を再生する再生手段と、
前記記録媒体に記録された前記動画信号から、前記動画信号の送信先に応じた所定の形式の動画信号を生成する処理手段と、
変換指示に応じて、複数のシーンの前記動画信号の再生順序を示すプレイリストにより指定された複数のシーンが結合された動画信号を所定時間ごとに分割した、前記所定の形式の動画信号を生成するように、前記処理手段を制御する制御手段
とを備えることを特徴とする再生装置。
【請求項６】
前記処理手段は、前記記録媒体に記録された前記動画信号から、第１の送信先に応じた第１の形式の動画信号と、前記第１の送信先とは異なる第２の送信先に応じた第２の形式の動画信号とを生成し、
前記制御手段は、前記第１の送信先が指定された場合、前記プレイリストにより指定された複数のシーンが結合された動画信号を前記所定時間ごとに分割した、前記第１の形式の動画信号を生成し、前記第２の送信先が指定された場合、前記プレイリストにより指定された複数のシーンが結合された１シーンの前記第２の形式の動画信号を生成するように、前記第１の送信先と第２の送信先から指定された送信先に応じて前記処理手段を制御することを特徴とする請求項５に記載の再生装置。
【請求項７】
前記制御手段は、前記プレイリストより指定された全てのシーンの動画信号を結合した動画信号の先頭から終端までを前記所定時間ごとに分割した、前記所定の形式の動画信号を生成するように前記処理手段を制御することを特徴とする請求項５に記載の再生装置。
【請求項８】
前記制御手段は、前記プレイリストにより指定された複数のシーンの動画信号のうち、指定された位置を含むシーンから最後のシーンまでを結合した動画信号における前記指定された位置から終端までを前記所定時間ごとに分割した、前記所定の形式の動画信号を生成するように前記処理手段を制御することを特徴とする請求項５に記載の再生装置。
【請求項９】
複数のシーンの動画信号が記録された記録媒体から前記動画信号を再生する再生手段と、
前記複数のシーンのうちの１シーンの前記動画信号を前記記録媒体から再生する第１の再生モードと、複数のシーンの前記動画信号の再生順序を示すプレイリストに従って前記動画信号を前記記録媒体から再生する第２の再生モードのいずれかを設定する設定手段と、
前記記録媒体に記録された動画信号から、動画信号の送信先に応じた所定の形式の動画信号を生成する処理手段と、
前記第１の再生モードにおける変換指示に応じて、前記１シーンの動画信号を所定時間ごとに分割した、前記所定の形式の動画信号を生成し、前記第２の再生モードにおける前記変換指示に応じて、前記プレイリストにより指定された複数のシーンが結合された動画信号を前記所定時間ごとに分割した、前記所定の形式の動画信号を生成するように、前記処理手段を制御する制御手段
とを備えることを特徴とする再生装置。
【請求項１０】
前記処理手段は、前記記録媒体に記録された動画信号から、第１の送信先に応じた第１の形式の動画信号と、前記第１の送信先とは異なる第２の送信先に応じた第２の形式の動画信号とを生成し、
前記制御手段は、
前記第１の送信先が指定された場合、前記第１の再生モードにおける前記変換指示に応じて、前記１シーンの動画信号を前記所定時間ごとに分割した、前記第１の形式の動画信号を生成し、前記第２の再生モードにおける前記変換指示に応じて、前記プレイリストに指定された複数のシーンが結合された動画信号を前記所定時間ごとに分割した、前記第１の形式の動画信号を生成するように、前記処理手段を制御し、
前記第２の送信先が指定された場合、前記第１の再生モードにおける前記変換指示に応じて、前記１シーンの動画信号から１シーンの前記第２の形式の動画信号を生成し、前記第２の再生モードにおける前記変換指示に応じて、前記プレイリストに指定された複数のシーンが結合された１シーンの前記第２の形式の動画信号を生成するように、前記処理手段を制御する
ことを特徴とする請求項９に記載の再生装置。
【請求項１１】
複数のシーンの動画信号が記録された記録媒体から前記動画信号を再生する再生手段と、
前記記録媒体に記録された動画信号から、動画信号の送信先に応じた所定の形式の動画信号を生成する処理手段
とを具備する再生装置の制御方法であって、
変換指示に応じて、前記複数のシーンのうちの１シーンの動画信号を所定時間ごとに分割した、前記所定の形式の動画信号を生成するように、前記処理手段を制御する制御ステップ
を備えることを特徴とする再生装置の制御方法。
【請求項１２】
複数のシーンの動画信号が記録された記録媒体から前記動画信号を再生する再生手段と、
前記記録媒体に記録された動画信号から、動画信号の送信先に応じた所定の形式の動画信号を生成する処理手段
とを具備する再生装置の制御方法であって、
変換指示に応じて、複数のシーンの前記動画信号の再生順序を示すプレイリストにより指定された複数のシーンが結合された動画信号を所定時間ごとに分割した、前記所定の形式の動画信号を生成するように、前記処理手段を制御する制御ステップ
を備えることを特徴とする再生装置の制御方法。
【請求項１３】
複数のシーンの動画信号が記録された記録媒体から前記動画信号を再生する再生手段と、
前記複数のシーンのうちの１シーンの前記動画信号を前記記録媒体から再生する第１の再生モードと、複数のシーンの前記動画信号の再生順序を示すプレイリストに従って前記動画信号を前記記録媒体から再生する第２の再生モードのいずれかを設定する設定手段と、
前記記録媒体に記録された動画信号から、動画信号の送信先に応じた所定の形式の動画信号を生成する処理手段
とを具備する再生装置の制御方法であって、
前記第１の再生モードにおける変換指示に応じて、前記１シーンの動画信号を所定時間ごとに分割した、前記所定の形式の動画信号を生成し、前記第２の再生モードにおける前記変換指示に応じて、前記プレイリストにより指定された複数のシーンが結合された動画信号を前記所定時間ごとに分割した、前記所定の形式の動画信号を生成するように、前記処理手段を制御する制御ステップ
を備えることを特徴とする再生装置の制御方法。
【手続補正２】
【補正対象書類名】明細書
【補正対象項目名】０００８
【補正方法】変更
【補正の内容】
【０００８】
本発明に係る再生装置は、複数のシーンの動画信号が記録された記録媒体から前記動画信号を再生する再生手段と、前記記録媒体に記録された動画信号から、動画信号の送信先に応じた所定の形式の動画信号を生成する処理手段と、変換指示に応じて、前記複数のシーンのうちの１シーンの動画信号を所定時間ごとに分割した、前記所定の形式の動画信号を生成するように、前記処理手段を制御する制御手段とを備えることを特徴とする。
本発明に係る再生装置は、複数のシーンの動画信号が記録された記録媒体から前記動画信号を再生する再生手段と、前記記録媒体に記録された動画信号から、動画信号の送信先に応じた所定の形式の動画信号を生成する処理手段と、変換指示に応じて、複数のシーンの前記動画信号の再生順序を示すプレイリストにより指定された複数のシーンが結合された動画信号を所定時間ごとに分割した、前記所定の形式の動画信号を生成するように、前記処理手段を制御する制御手段とを備えることを特徴とする。
本発明に係る再生装置は、複数のシーンの動画信号が記録された記録媒体から前記動画信号を再生する再生手段と、前記複数のシーンのうちの１シーンの前記動画信号を前記記録媒体から再生する第１の再生モードと、複数のシーンの前記動画信号の再生順序を示すプレイリストに従って前記動画信号を前記記録媒体から再生する第２の再生モードのいずれかを設定する設定手段と、前記記録媒体に記録された動画信号から、動画信号の送信先に応じた所定の形式の動画信号を生成する処理手段と、前記第１の再生モードにおける変換指示に応じて、前記１シーンの動画信号を所定時間ごとに分割した、前記所定の形式の動画信号を生成し、前記第２の再生モードにおける前記変換指示に応じて、前記プレイリストにより指定された複数のシーンが結合された動画信号を前記所定時間ごとに分割した、前記所定の形式の動画信号を生成するように、前記処理手段を制御する制御手段とを備えることを特徴とする。
本発明に係る再生装置の制御方法は、複数のシーンの動画信号が記録された記録媒体から前記動画信号を再生する再生手段と、前記記録媒体に記録された動画信号から、動画信号の送信先に応じた所定の形式の動画信号を生成する処理手段とを具備する再生装置の制御方法であって、変換指示に応じて、前記複数のシーンのうちの１シーンの動画信号を所定時間ごとに分割した、前記所定の形式の動画信号を生成するように、前記処理手段を制御する制御ステップを備えることを特徴とする。
本発明に係る再生装置の制御方法は、複数のシーンの動画信号が記録された記録媒体から前記動画信号を再生する再生手段と、前記記録媒体に記録された動画信号から、動画信号の送信先に応じた所定の形式の動画信号を生成する処理手段とを具備する再生装置の制御方法であって、変換指示に応じて、複数のシーンの前記動画信号の再生順序を示すプレイリストにより指定された複数のシーンが結合された動画信号を所定時間ごとに分割した、前記所定の形式の動画信号を生成するように、前記処理手段を制御する制御ステップを備えることを特徴とする。
本発明に係る再生装置の制御方法は、複数のシーンの動画信号が記録された記録媒体から前記動画信号を再生する再生手段と、前記複数のシーンのうちの１シーンの前記動画信号を前記記録媒体から再生する第１の再生モードと、複数のシーンの前記動画信号の再生順序を示すプレイリストに従って前記動画信号を前記記録媒体から再生する第２の再生モードのいずれかを設定する設定手段と、前記記録媒体に記録された動画信号から、動画信号の送信先に応じた所定の形式の動画信号を生成する処理手段とを具備する再生装置の制御方法であって、前記第１の再生モードにおける変換指示に応じて、前記１シーンの動画信号を所定時間ごとに分割した、前記所定の形式の動画信号を生成し、前記第２の再生モードにおける前記変換指示に応じて、前記プレイリストにより指定された複数のシーンが結合された動画信号を前記所定時間ごとに分割した、前記所定の形式の動画信号を生成するように、前記処理手段を制御する制御ステップを備えることを特徴とする。
【手続補正３】
【補正対象書類名】明細書
【補正対象項目名】０００９
【補正方法】削除
【補正の内容】